【手続補正書】
【提出日】平成18年7月14日(2006.7.14)
【手続補正１】
【補正対象書類名】明細書
【補正対象項目名】特許請求の範囲
【補正方法】変更
【補正の内容】
【特許請求の範囲】
【請求項１】  永久磁石の磁気回路及びそれと一体化した枠と、２つの同軸かつ等径の環状磁気空隙と、各磁気空隙に挿入されたコイル型と、そのコイル型に平行に巻きつけられる絶縁ワイヤによって形成された２つのコイルとを有する、２コイル２磁気空隙の変換器において、
ａ．前記磁気回路の上部フィールドヨークと下部フィールドヨークが磁性材料で作られた内側凹形の平板であり、それらは同軸に取り付けられ、対称的に設けられて、その平板の外側の中央部に一つの平台面が設けられ、その平台面の中央部に円形、正方形、または正六角形の軸穴が一つ開孔されており、
ｂ．前記上部フィールドヨークと下部フィールドヨークの内側の周辺にはそれぞれ凸形の外周ポールピースが形成され、両外周ポールピースの極面の間に、同じ厚さで均等配置されかつ軸方向に磁化された一つ以上の永久磁石が設けられており、
ｃ．非磁性体で作られた中空型が前記上部フィールドヨークと下部フィールドヨークの前記凹形平板の内面にはめ込まれて固定されており、前記永久磁石の内側の垂直面が前記中空型の外側の垂直面に取り付けられて固定されており、
ｄ．前記永久磁石の２つの極面が前記上部フィールドヨークと前記下部フィールドヨークの外周ポールピースの２つの極面に直接係合され、前記上部フィールドヨークと下部フィールドヨークの平台面に設けられた貫入孔及び対応するねじ孔と非磁性体で作られた止め具を通じて、当該係合された極面に静圧力を加えることにより、一つの磁気回路の外芯が形成されており、
ｅ．上部フィールドヨークと下部フィールドヨークの凹形平板の中央軸孔と同軸に取り付けられた円筒状或いは柱状の磁性体の外周面とその中央軸孔の垂直周面の間に、２つの同軸で等径の環状磁気空隙が形成され、同軸に取り付けられた２つのコイルがその磁気空隙に挿入され、２つのコイルの巻き付けの方向とコイルを流れる電流の方向が２つのコイルに同時に同一方向の電流力Ｆが生じるように決められており、
ｆ．当該変換器が抵抗負荷特性のある電気−機械変換器になるように、当該変換器は永久磁石の軸方向の１／２の高さの等分線Ｘ−Ｘを水平対称軸として有し、外形及び磁気性能について上下に対称的な磁気回路を２組有し、両コイルを直列に連結する際のワイヤの巻き付け方向を正反対にし、そのワイヤの断面積、巻き付け回数及びインダクタンスの絶対値が同じであり、
ｇ．前記両コイルと凹形平板の中央軸孔と円筒状または柱状の磁性体とが組み合わせ、その最適横断面を正六角形にし、六角形または正多角形の各内角の頂にも当該内角の両足と接しながら円弧状の線を左右対称的に短く描き、その円心が当該内角の平分線上に位置するようにされ、
ｈ．前記上部フィールドヨークと下部フィールドヨークの外周ポールピースに均等配置された２つ以上の凹形の対流気孔を開孔し、その気孔の最も深い底は前記凹形平板の内面と同一レベルであり、
ｉ．上部フィールドヨークと下部フィールドヨークと永久磁石と中空型の間の粘着剤が前記磁気回路の外芯が完全に組み付けられ後で硬化されていることを特徴とする２コイル２磁気空隙の変換器。
【請求項２】  上部フィールドヨークと下部フィールドヨークは二枚の円形状の凹形平板であり、前記永久磁石は環状の永久磁石または等厚で均等配置された扇形または円形の薄板状レアメタル製の一つ以上の永久磁石であることを特徴とする請求項１の変換器。
【請求項３】  上部フィールドヨークと下部フィールドヨークは２枚の正多角形の凹形平板であり、前記永久磁石は三つ以上の等厚で均等配置された棒状のレアメタル製永久磁石であることを特徴とする請求項１の変換器。
【請求項４】  前記上部フィールドヨークと下部フィールドヨークは２枚の矩形の凹形平板であり、前記永久磁石は四つの等厚で均等配置された棒状のレアメタル製永久磁石であることを特徴とする請求項１の変換器。
【請求項５】 前記上部フィールドヨークと下部フィールドヨークと永久磁石の垂直した外側面の周辺において、非磁性体で作られた２段以上のドライバーカバーを設け、一つの一体化した磁気回路となるように、カバーの内側面をフィールドヨークと永久磁石の垂直した外側面としっかりと係合されており、
非磁性体の剛性材料で作られたブラケットの中央部に軸孔が開き、その中央線が対称軸とされて、軸孔の外側に内側に突出した平台面が設けられて、その平台面の外側に同軸環状の凹形みぞが設けられ、凹形みぞの外側に、前記下部フィールドヨークの外側平台面と適合されて固定されたブラケット取り付け用の平台面が設けられ、同軸に取り付けられた円筒状または柱状の磁性体が一組の非磁性体で作られた止め具によって、前記内側に突出した平台面の軸の中心部に取り付けられて固定され、前記円筒状または柱状の磁性体の外周面と、上部フィールドヨーク及び下部フィールドヨークの中央軸孔の垂直した周面の間に、２つの同軸でかつ等径の環状磁気空隙が形成され、それによって、一つの完璧な２コイル２磁気空隙変換器のドライバー磁気回路ができあがることを特徴とする請求項１の変換器。
【請求項６】  前記型の腰部に設けられた同軸の開口円筒体を有する同軸型が前記磁気回路に連結され、円筒体の底の内面に同軸環状みぞが設けられ、当該みぞの内側と外側にそれぞれ２つの同軸環状平台面が設けられ、非磁性体で作られた内側に突出した柱状体が中間平台面の軸位置に設けられ、柱状体の上に円筒状磁性体が固定され、上部フィールドヨーク及び下部フィールドヨークの垂直な外側面は非磁性体で作られた円筒状の連結盤に包まれて固定され、一体化された磁気回路の外芯が前記型の円筒体の内側に嵌めこまれ、当該型と一体化されたユニットを形成していることを特徴とする請求項１乃至４のいずれか一項の変換器。
【請求項７】  永久磁石の磁気回路及びそれと一体化した枠と、２つの同軸かつ等径の環状磁気空隙と、各磁気空隙に挿入されたコイル型と、そのコイル型に平行に巻きつけられる絶縁ワイヤによって形成された２つのコイルとを有する、２コイル２磁気空隙の変換器において、
ａ．前記磁気回路の上部フィールドヨークと下部フィールドヨークが磁性材料で作られた内側凹形の平板であり、それらは同軸に取り付けられ、対称的に設けられて、その平板の外側の中央部に一つの平台面が設けられ、その平台面の中央部に円形、正方形、または正六角形の軸穴が一つ開孔されており、
ｂ．前記上部フィールドヨークと下部フィールドヨークの内側の周辺にはそれぞれ凸形の外周ポールピースが形成され、両外周ポールピースの極面の間に、同じ厚さで均等配置されかつ軸方向に磁化された一つ以上の永久磁石が設けられており、
ｃ．非磁性体で作られた中空型が前記上部フィールドヨークと下部フィールドヨークの前記凹形平板の内面にはめ込まれて固定されており、前記永久磁石の内側の垂直面が前記中空型の外側の垂直面に取り付けられて固定されており、
ｄ．前記永久磁石の２つの極面が前記上部フィールドヨークと前記下部フィールドヨークの外周ポールピースの２つの極面に直接係合され、前記上部フィールドヨークと下部フィールドヨークの平台面に設けられた貫入孔及び対応するねじ孔と非磁性体で作られた止め具を通じて、当該係合された極面に静圧力を加えることにより、一つの磁気回路の外芯が形成されており、
ｅ．上部フィールドヨークと下部フィールドヨークの凹形平板の中央軸孔と同軸に取り付けられた円筒状或いは柱状の磁性体の外周面とその中央軸孔の垂直周面の間に、２つの同軸で等径の環状磁気空隙が形成され、同軸に取り付けられた２つのコイルがその磁気空隙に挿入され、２つのコイルの巻き付けの方向とコイルを流れる電流の方向が２つのコイルに同時に同一方向の電流力Ｆが生じるように決められており、
ｆ．前記両コイルと凹形平板の中央軸孔と円筒状または柱状の磁性体とが組み合わせ、その最適横断面を正六角形にし、六角形または正多角形の各内角の頂にも当該内角の両足と接しながら円弧状の線を左右対称的に短く描き、その円心が当該内角の平分線上に位置するようにされ、
ｇ．前記上部フィールドヨークと下部フィールドヨークの外周ポールピースに均等配置された２つ以上の凹形の対流気孔を開孔し、その気孔の最も深い底は前記凹形平板の内面と同一レベルであり、
ｈ．上部フィールドヨークと下部フィールドヨークと永久磁石と中空型の間の粘着剤が前記磁気回路の外芯が完全に組み付けられ後で硬化されていることを特徴とする２コイル２磁気空隙の変換器。
【請求項８】  上部フィールドヨークと下部フィールドヨークは二枚の円形状の凹形平板であり、前記永久磁石は環状の永久磁石または等厚で均等配置された扇形または円形の薄板状レアメタル製の一つ以上の永久磁石であることを特徴とする請求項７の変換器。
【請求項９】  上部フィールドヨークと下部フィールドヨークは２枚の正多角形の凹形平板であり、前記永久磁石は三つ以上の等厚で均等配置された棒状のレアメタル製永久磁石であることを特徴とする請求項７の変換器。
【請求項１０】  前記上部フィールドヨークと下部フィールドヨークは２枚の矩形の凹形平板であり、前記永久磁石は四つの等厚で均等配置された棒状のレアメタル製永久磁石であることを特徴とする請求項７の変換器。
【請求項１１】  前記上部フィールドヨークと下部フィールドヨークと永久磁石の垂直した外側面の周辺において、非磁性体で作られた２段以上のドライバーカバーを設け、一つの一体化した磁気回路となるように、カバーの内側面をフィールドヨークと永久磁石の垂直した外側面としっかりと係合されており、
非磁性体の剛性材料で作られたブラケットの中央部に軸孔が開き、その中央線が対称軸とされて、軸孔の外側に内側に突出した平台面が設けられて、その平台面の外側に同軸環状の凹形みぞが設けられ、凹形みぞの外側に、前記下部フィールドヨークの外側平台面と適合されて固定されたブラケット取り付け用の平台面が設けられ、同軸に取り付けられた円筒状または柱状の磁性体が一組の非磁性体で作られた止め具によって、前記内側に突出した平台面の軸の中心部に取り付けられて固定され、前記円筒状または柱状の磁性体の外周面と、上部フィールドヨーク及び下部フィールドヨークの中央軸孔の垂直した周面の間に、２つの同軸でかつ等径の環状磁気空隙が形成され、それによって、一つの完璧な２コイル２磁気空隙変換器のドライバー磁気回路ができあがることを特徴とする請求項７の変換器。
【請求項１２】  前記型の腰部に設けられた同軸の開口円筒体を有する同軸型が前記磁気回路に連結され、円筒体の底の内面に同軸環状みぞが設けられ、当該みぞの内側と外側にそれぞれ２つの同軸環状平台面が設けられ、非磁性体で作られた内側に突出した柱状体が中間平台面の軸位置に設けられ、柱状体の上に円筒状磁性体が固定され、上部フィールドヨーク及び下部フィールドヨークの垂直な外側面は非磁性体で作られた円筒状の連結盤に包まれて固定され、一体化された磁気回路の外芯が前記型の円筒体の内側に嵌めこまれ、当該型と一体化されたユニットを形成していることを特徴とする請求項７の変換器。
【請求項１３】  永久磁石の磁気回路及びそれと一体化した枠と、２つの同軸でかつ等径の環状磁気空隙と、各磁気空隙に挿入されたコイル型と、前記コイル型に平行に巻きつけられる絶縁ワイヤによって形成された２つのコイルとを有する２コイル２磁気空隙の変換器において、
ａ．前記磁気回路の上部フィールドヨークと下部フィールドヨークが磁性材料で作られた円形の平板であり、それらは同軸に取り付けられ、対称的に設けられて、その平板の外側の中央部に一枚の平台面が設けられ、その平台面の中央部に円形、正方形、または正六角形の軸穴が一つ開孔されており、
ｂ．前記上部フィールドヨークと下部フィールドヨークの中央軸孔の外側周辺部に等厚で均等配置された三組以上の永久磁石が設けられ、各組の永久磁石はそれぞれ軸方向に磁化されかつ連続に積層された２つの環状永久磁石からなり、各組の永久磁石の四つの極面は前記上部磁気空隙と下部フィールドヨークの２つの内側極面に直接に係合され、前記上部フィールドヨークと下部フィールドヨークが、各組の永久磁石の軸位置に形成された貫入孔、対応ねじ孔及び非磁性材料で作られた止め具により生成された静圧力を、前記各組の永久磁石の前記係合面に加えることによって接続されて、一つの磁気回路の外芯が形成されることと、
ｃ．前記２つの同軸等径の環状磁気空隙は上部フィールドヨークと下部フィールドヨークの凹形平板中央軸孔と同軸な円筒状或いは柱状の磁性体の外周面と当該中央軸孔の垂直周面との間に形成され、前記同軸な２つのコイルはその磁気空隙に挿入し、コイルの巻き付けの方向とコイルを流れる電流の方向は、両コイルに同時に同一方向の電流力Ｆが生じるように決められており、
ｄ．当該変換器が抵抗負荷特性のある電気−機械変換器になるように、当該変換器は永久磁石軸方向の１／２の高さの等分線Ｘ−Ｘを水平対称軸として有し、外形及び磁気性能について上下に対称的な磁気回路を２組有し、両コイルを直列に連結する際のワイヤの巻き付け方向を正反対にし、そのワイヤの断面積、巻き付け回数及びインダクタンスの絶対値が同じであり、
ｅ．前記両コイルと前記円形平板の中央軸孔とが前記円筒状または柱状の磁性体と組み合わせて、その最適横断面を正六角形にし、六角形または正多角形の各内角の頂にも当該内角の両足と接しながら円弧状の線を左右対称的に短く描き、その円心が当該内角の平分線上に位置するようにされ、
ｆ．均等に配置された各組の永久磁石の外面の間に、当該２コイル２磁気空隙変換器のドライバーの熱発散用の対流気道が形成されるように隙間が設けられていることを特徴とする２コイル２磁気空隙の変換器。
【請求項１４】  非磁性で剛性のブラケットがその中央部に軸孔を有し、軸孔の外側に内側に突出した同軸の平台面が設けられ、その平台面の外側に同軸の環状の凹形みぞが設けられ、凹形みぞの外側に、前記下部フィールドヨークの外側平台面と適合って固定されたブラケット取り付け用の平台面が設けられ、同軸に取り付けられた円筒状または柱状の磁性体が一組の非磁性体で作られた止め具によって、前記内側に突出した平台面の軸の中心部に取り付けられて固定され、前記円筒状または柱状の磁性体の外周面と、上部フィールドヨーク及び下部フィールドヨークの中央軸孔の垂直な周面の間に、２つの同軸等径の環状磁気空隙が形成され、それによって、２コイル２磁気空隙変換器のドライバーの一つの完璧な磁気回路が形成されることを特徴とする請求項１３の変換器。
【請求項１５】  前記型の腰部に設けられた同軸の開口円筒体を有する同軸型が前記磁気回路に連結され、円筒体の底の内面に同軸環状みぞが設けられ、当該みぞの内側と外側にそれぞれ２つの同軸環状平台面が設けられ、非磁性体で作られた内側に突出した柱状体が中間平台面の軸位置に設けられて柱状体の上に環状磁性体が固定され、前記磁気回路の一体化された外芯が前記型の円筒体の内側係合面に嵌めこまれて当該型と一体化されたユニットを形成していることを特徴とする請求項１３の変換器。
【請求項１６】  永久磁石の磁気回路及びそれと一体化した枠と、２つの同軸でかつ等径の環状磁気空隙と、各磁気空隙に挿入されたコイル型と、前記コイル型に平行に巻きつけられる絶縁ワイヤによって形成された２つのコイルとを有する２コイル２磁気空隙の変換器において、
ａ．前記磁気回路の上部フィールドヨークと下部フィールドヨークが磁性材料で作られた円形の平板であり、それらは同軸に取り付けられ、対称的に設けられて、その平板の外側の中央部に一枚の平台面が設けられ、その平台面の中央部に円形、正方形、または正六角形の軸穴が一つ開孔されており、
ｂ．前記上部フィールドヨークと下部フィールドヨークの中央軸孔の外側周辺部に等厚で均等配置された三組以上の永久磁石が設けられ、各組の永久磁石はそれぞれ軸方向に磁化されかつ連続に積層された２つの環状永久磁石からなり、各組の永久磁石の四つの極面は前記上部磁気空隙と下部フィールドヨークの２つの内側極面に直接に係合され、前記上部フィールドヨークと下部フィールドヨークが、各組の永久磁石の軸位置に形成された貫入孔、対応ねじ孔及び非磁性材料で作られた止め具により生成された静圧力を、前記各組の永久磁石の前記係合面に加えることによって接続されて、一つの磁気回路の外芯が形成されることと、
ｃ．前記２つの同軸等径の環状磁気空隙は上部フィールドヨークと下部フィールドヨークの凹形平板中央軸孔と同軸な円筒状或いは柱状の磁性体の外周面と当該中央軸孔の垂直周面との間に形成され、前記同軸な２つのコイルはその磁気空隙に挿入し、コイルの巻き付けの方向とコイルを流れる電流の方向は、両コイルに同時に同一方向の電流力Ｆが生じるように決められており、
ｄ．前記両コイルと前記円形平板の中央軸孔とが前記円筒状または柱状の磁性体と組み合わせて、その最適横断面を正六角形にし、六角形または正多角形の各内角の頂にも当該内角の両足と接しながら円弧状の線を左右対称的に短く描き、その円心が当該内角の平分線上に位置するようにされ、
ｅ．均等に配置された各組の永久磁石の外面の間に、当該２コイル２磁気空隙変換器のドライバーの熱発散用の対流気道が形成されるように隙間が設けられていることを特徴とする２コイル２磁気空隙の変換器。
【請求項１７】  非磁性の剛性ブラケットの中央部に軸孔が開孔され、軸孔の外側に内側に突出した同軸の平台面が設けられ、その平台面の外側に同軸の環状の凹形みぞが設けられ、凹形みぞの外側に、前記下部フィールドヨークの外側平台面と適合って固定されたブラケット取り付け用の平台面が設けられ、同軸に取り付けられた円筒状または柱状の磁性体が一組の非磁性体で作られた止め具によって、前記内側に突出した平台面の軸の中心部に取り付けられて固定され、前記円筒状または柱状の磁性体の外周面と、上部フィールドヨーク及び下部フィールドヨークの中央軸孔の垂直な周面の間に、２つの同軸等径の環状磁気空隙が形成され、それによって、２コイル２磁気空隙変換器のドライバーの一つの完璧な磁気回路が形成されることを特徴とする請求項１６の変換器。
【請求項１８】  前記型の腰部に設けられた同軸の開口円筒体を有する同軸型が前記磁気回路に連結され、円筒体の底の内面に同軸環状みぞが設けられ、当該みぞの内側と外側にそれぞれ２つの同軸環状平台面が設けられ、非磁性体で作られた内側に突出した柱状体が中間平台面の軸位置に設けられて柱状体の上に環状磁性体が固定され、前記磁気回路の一体化された外芯が前記型の円筒体の内側係合面に嵌めこまれて当該型と一体化されたユニットを形成していることを特徴とする請求項１６の変換器。
【手続補正２】
【補正対象書類名】明細書
【補正対象項目名】０００１
【補正方法】変更
【補正の内容】
【０００１】
（背景技術）
従来技術のＪＰ６−２３３３８０Ａは２つの磁気空隙と２つのコイルをもつスピーカを提供しているが、かさが大きすぎるし、感度が低く、２つのコイルのインダクタンスが相殺できないため、スピーカは依然としてノンリニア素子であることに過ぎないし、そのフィディリティもよくないという欠点を有している。ＣＮ９４２６７０１．９によって提供されるダブルボイスコイル・ダブルフィールド・ダブルプッシュプルのスピーカは、嵩が割と大きくて、感度が低く、コイルの軸方向の行程が短いので高出力・高音圧のスピーカのニーズに合わないという欠点がある。従来技術では永久磁石とフィールドヨークの間が粘着剤で固定されているため、高出力の信号を連続して入力した場合に渦流による熱が過剰に生じるため、磁気回路の粘着剤が脱落し、スピーカが損傷しやすい。
【手続補正３】
【補正対象書類名】明細書
【補正対象項目名】０００７
【補正方法】変更
【補正の内容】
【０００７】
変換器において、ａ）前記上部フィールドヨークと下部フィールドヨークと永久磁石の垂直した外側面の周辺において、非磁性体で作られた２段以上のドライバーカバーを設け、一つの一体化した磁気回路となるように、カバーの内側面をフィールドヨークと永久磁石の垂直した外側面としっかりと係合されており、ｂ）非磁性体の剛性材料で作られたブラケットの中央部に軸孔が開き、その中央線が対称軸とされて、軸孔の外側に内側に突出した平台面が設けられて、その平台面の外側に同軸環状の凹形みぞが設けられ、凹形みぞの外側に、前記下部フィールドヨークの外側平台面と適合されて固定されたブラケット取り付け用の平台面が設けられ、同軸に取り付けられた円筒状または柱状の磁性体が一組の非磁性体で作られた止め具によって、前記内側に突出した平台面の軸の中心部に取り付けられて固定され、前記円筒状または柱状の磁性体の外周面と、上部フィールドヨーク及び下部フィールドヨークの中央軸孔の垂直した周面の間に、２つの同軸でかつ等径の環状磁気空隙が形成され、それによって、一つの完璧な２コイル２磁気空隙変換器のドライバー磁気回路が形成される。
【手続補正４】
【補正対象書類名】明細書
【補正対象項目名】０００９
【補正方法】変更
【補正の内容】
【０００９】
永久磁石の磁気回路及びそれと一体化した枠と、２つの同軸でかつ等径の環状磁気空隙と、各磁気空隙に挿入されたコイル型と、前記コイル型に平行に巻きつけられる絶縁ワイヤによって形成された２つのコイルとを有する２コイル２磁気空隙の変換器において、ａ．前記磁気回路の上部フィールドヨークと下部フィールドヨークが磁性材料で作られた円形の平板であり、それらは同軸に取り付けられ、対称的に設けられて、その板の外側の中央部に一枚の平台面が設けられ、その平台面の中央部に円形、正方形、または正六角形の軸穴が一つ開孔されており、ｂ．前記上部フィールドヨークと下部フィールドヨークの中央軸孔の外側周辺部に等厚で均等配置された三組以上の永久磁石が設けられ、各組の永久磁石はそれぞれ軸方向に磁化されかつ連続に積層された２つの環状永久磁石からなり、各組の永久磁石の四つの極面は前記上部磁気空隙と下部フィールドヨークの２つの内側極面に直接に係合され、前記上部フィールドヨークと下部フィールドヨークが、各組の永久磁石の軸位置に形成された貫入孔、対応ねじ孔及び非磁性材料で作られた止め具により生成された静圧力を、前記各組の永久磁石の前記係合面に加えることによって接続されて、一つの磁気回路の外芯が形成されることと、ｃ．前記２つの同軸等径の環状磁気空隙は上部フィールドヨークと下部フィールドヨークの中央軸孔と同軸な円筒状或いは柱状の磁性体の外周面と当該中央軸孔の垂直周面との間に形成され、前記同軸な２つのコイルはその磁気空隙に挿入し、コイルの巻き付けの方向とコイルを流れる電流の方向は、両コイルに同時に同一方向の電流力Ｆが生じるように決められており、ｄ．前記両コイルと前記円形板の中央軸孔とが前記円筒状または柱状の磁性体と組み合わせて、その最適横断面を正六角形にし、六角形または正多角形の各内角の頂にも当該内角の両足と接しながら円弧状の線を左右対称的に短く描き、その円心が当該内角の平分線上に位置するようにされ、ｅ．均等に配置された各組の永久磁石の外面の間に、当該２コイル２磁気空隙変換器のドライバーの熱発散用の対流気道が形成されるように隙間が設けられていることを特徴とする。
【手続補正５】
【補正対象書類名】明細書
【補正対象項目名】００１３
【補正方法】削除
【補正の内容】
【手続補正６】
【補正対象書類名】明細書
【補正対象項目名】００３９
【補正方法】変更
【補正の内容】
【００３９】
図１０は抵抗負荷の特性を持つ本発明の変換器の電気回路原理の接続図を示す。本実施例は、図１に示された本発明の実施例１を例に説明し、図１と図２の関連説明も参照する。